(57)【要約】
　【課題】　商品のＰＯＰ広告効果の向上を図ることができる商品表示ラベルおよびこれを用いた自動販売機用のダミー体を提供する。
　【解決手段】　湾曲した状態で自動販売機用のダミー体Ｄに設けられる商品表示ラベルＬであって、切り込み部分１３が設けられ、切り込み部分１３により囲まれた部分が、他の部分よりも外側に位置するように構成されている。
　【選択図】　図２
0003099774.tif 000002
【実用新案登録請求の範囲】
【請求項１】
　湾曲した状態で自動販売機用のダミー体に設けられる商品表示ラベルであって、切り込み部分が設けられ、切り込み部分により囲まれた部分が、他の部分よりも外側に位置するように構成されていることを特徴とする商品表示ラベル。
【請求項２】
　湾曲した状態で自動販売機用のダミー体に設けられる商品表示ラベルであって、所定部分の周縁に沿って切り込み部分が設けられ、かつこの切り込み部分が前記周縁の上下におけるそれぞれ一部分のみで途切れるように形成され、切り込み部分により囲まれた部分が、他の部分よりも外側に位置するように構成されていることを特徴とする商品表示ラベル。
【請求項３】
　自動販売機用のダミー体のダミー体本体のほぼ円筒状の胴部の外周面に巻かれた状態で保持され、前記所定部分がほぼ平面状となり、その他の部分が曲面状となるように構成されている請求項２に記載の商品表示ラベル。
【請求項４】
　請求項１〜３のいずれかに記載の商品表示ラベルとこれを湾曲させた状態で保持するダミー体本体とからなることを特徴とする自動販売機用のダミー体。
【考案の詳細な説明】
【技術分野】
【０００１】
　本考案は、例えば、ジュースやコーヒー、ビールなどの缶入りや壜入りの飲料、あるいは、乾電池、煙草、インスタントカメラ等を無人販売するための自動販売機用のダミー体に設けられる商品表示ラベルおよびこれを用いた自動販売機用のダミー体に関する。
【背景技術】
【０００２】
　従来より、ジュースやコーヒー、ビールなどの缶入りの飲料を無人販売するための自動販売機の展示部には、実物の商品の代わりにダミー体が展示されている。
【０００３】
　そして、新商品など特に販売を促進したい商品に対応させたダミー体については、そのダミー体の前側にある前記透明パネルに商品アピール用のキャッチコピーや図柄等が印刷されたシールを貼ったりしていた。
【考案の開示】
【考案が解決しようとする課題】
【０００４】
　しかし、上記のようにシールを用いるアピール方法では、商品の特に強調したい部分をアピールするのに限界があり、ひいては商品のＰＯＰ広告（Ｐｏｉｎｔ　Ｏｆ　Ｐｕｒｃｈａｓｅ　Ａｄｖｅｒｔｉｓｉｎｇ：購買時点広告）効果の向上を図ることができないおそれがあった。
【０００５】
　この考案は上述の事柄に留意してなされたもので、その目的は、商品のＰＯＰ広告効果の向上を図ることができる商品表示ラベルおよびこれを用いた自動販売機用のダミー体を提供することである。
【課題を解決するための手段】
【０００６】
　上記目的を達成するために、本考案の商品表示ラベルは、湾曲した状態で自動販売機用のダミー体に設けられる商品表示ラベルであって、切り込み部分が設けられ、切り込み部分により囲まれた部分が、他の部分よりも外側に位置するように構成されている（請求項１）。
【０００７】
　また、本考案の商品表示ラベルは、湾曲した状態で自動販売機用のダミー体に設けられる商品表示ラベルであって、所定部分の周縁に沿って切り込み部分が設けられ、かつこの切り込み部分が前記周縁の上下におけるそれぞれ一部分のみで途切れるように形成され、切り込み部分により囲まれた部分が、他の部分よりも外側に位置するように構成されていてもよく（請求項２）、さらに、自動販売機用のダミー体のダミー体本体のほぼ円筒状の胴部の外周面に巻かれた状態で保持され、前記所定部分がほぼ平面状となり、その他の部分が曲面状となるように構成されていてもよい（請求項３）。
【０００８】
　上記目的を達成するために、本考案の自動販売機用のダミー体は、請求項１〜３のいずれかに記載の商品表示ラベルとこれを湾曲させた状態で保持するダミー体本体とからなる（請求項４）。
【考案の効果】
【０００９】
　上記の構成からなる本考案によれば、商品のＰＯＰ広告効果の向上を図ることができる商品表示ラベルおよびこれを用いた自動販売機用のダミー体を提供することが可能となる。
【００１０】
　すなわち、請求項１に係る考案では、商品表示ラベルに切り込み部分を設けてあり、商品表示ラベルを湾曲させて丸めた状態としたときに、切り込み部分により囲まれた部分（以下、特定部分という）が、商品表示ラベルの他の部分よりも外側に位置するので、例えば、特定部分に、商品の広告や宣伝のための図柄や文字などを印刷等よって表示させることで、その広告や宣伝内容を強調することができ、前記商品表示ラベルを有するダミー体の商品のＰＯＰ広告効果が向上することとなる。
【００１１】
　請求項２に係る考案では、商品表示ラベルの所定部分の周縁に沿って切り込み部分を設け、かつこの切り込み部分を前記周縁の上下におけるそれぞれ一部分のみで途切れるように形成してあり、商品表示ラベルを湾曲させて丸めた状態としたときに、切り込み部分により囲まれた部分が、商品表示ラベルの他の部分よりも外側に位置するので、例えば、所定部分に、商品の広告や宣伝のための図柄や文字などを印刷等よって表示させることで、その広告や宣伝内容を強調することができ、前記商品表示ラベルを有するダミー体の商品のＰＯＰ広告効果が向上することとなる。
【００１２】
　また、請求項１および２に係る考案の商品表示ラベルは、従来の商品表示ラベルとは構造が異なり、立体的で洗練された形状を呈し、目立ちやすいので、商品表示ラベルにて表示された商品やそのメーカーに対する消費者の関心を高めるとともに商品の購買意欲を刺激するという効果を発揮する。
【００１３】
　さらに、請求項１および２に係る考案の商品表示ラベルは、従来の商品表示ラベルに対して、例えばトムソン法により切り込みを入れるだけで成形することができる。従って、この考案の商品表示ラベルは、従来の商品表示ラベルと同様に、非常に安価に製造することができる。
【００１４】
　請求項３に係る考案では、商品表示ラベルの所定部分をほぼ平面状に保ち、その他の部分を曲面状に保つように構成してあるので、商品表示ラベルの所定部分は、他の部分よりも外側に浮き上がり、かつ平面状に保たれて、消費者などが非常に視認しやすい状態となる。そのため、この考案の商品表示ラベルでは、例えば、所定部分に商品の広告や宣伝のための図柄や文字などを印刷等よって表示させることで、その広告や宣伝内容をより効果的にアピールすることができる。
【００１５】
　請求項４に係る考案のダミー体では、請求項１〜３に記載された商品表示ラベルによって得られる効果と同様の効果が得られる。また、請求項４に係る考案のダミー体は、請求項１〜３に記載された商品表示ラベルとこの商品表示ラベルを保持するダミー体本体とからなり、上述したように、前記商品表示ラベルは、従来の商品表示ラベルに対して、例えばトムソン法により切り込みを入れるだけで商品表示ラベルを成形することができ、かつダミー体本体は従来のダミー体本体と同様の構成からなるものを用いることができる。従って、この考案のダミー体は、従来のダミー体と同様に、非常に安価に製造することができる。
【考案を実施するための最良の形態】
【００１６】
　以下、本考案の実施の形態を図面に基づいて説明する。図１〜図３は、本考案の一実施例を示す。
【００１７】
　図１に示すように、この実施例の自動販売機１は、商品補充のために開閉自在に設けられた扉２を前面に有している。この扉２の上部には、ダミー体Ｄを展示するための展示部３が設けられている。各展示部３の下部には、各ダミー体Ｄに関連付けて商品選択用の押しボタン２ａが配置され、また、自動販売機１の前面下部には、商品取り出し口２ｂが設けられている。なお、２ｃは硬貨投入口、２ｄは紙幣投入口、２ｅは釣り銭口、２ｆは釣り銭返却用の操作レバーである。
【００１８】
　展示部３は、ダミー体Ｄを支えるための架台部３ａと、この架台部３ａに連設された背面部３ｂとを備え、内部に前記ダミー体Ｄが着脱自在に取り付けられるように構成されている。
【００１９】
　架台部３ａの下方には、図１および図２に示すように、照明光源４が配置されている。この照明光源４は、例えば螢光灯であり、照明光源４からの光は、架台部３ａに設けられた開口５を通過して前記ダミー体Ｄに照射され、この照射によりダミー体Ｄがライトアップされることとなる。
【００２０】
　開口５は、図２に示すように、ほぼ円形状をしており、その周縁には、側方に突出するように切り欠かれた切り欠き部分５ａ，第１の嵌合溝部分５ｂおよび第２の嵌合溝部分５ｃを１対ずつ有している。詳しくは、切り欠き部分５ａは、開口５の周縁のほぼ左右両側に設けられており、各切り欠き部分５ａに対応して、第１の嵌合溝部分５ｂおよび第２の嵌合溝部分５ｃが設けられている。
【００２１】
　ダミー体Ｄは、図１および図２に示すように、缶タイプの飲料容器に対応する形状をしており、商品表示ラベルＬとこれを湾曲させた状態で保持するダミー体本体６とからなる。
【００２２】
　ダミー体本体６は、ほぼ円筒状の胴部７と、この胴部７の上方に取り付けられる蓋部８と、胴部７の下部に着脱自在に取り付けられるリング部材９と、胴部７の背面側に取り付けられ、胴部７の外周面に巻いた状態の商品表示ラベルＬの両端部を胴部７の外面とで挟持するラベル保持部材１０とを備えている。
【００２３】
　胴部７は、例えば、ポリプロピレン（ＰＰ）、ポリカーボネート（ＰＣ）、ポリエチレンテレフタレート（ＰＥＴ）などの透明または半透明の合成樹脂、あるいはそれらの一般再生品など、耐熱性、耐候性に優れた素材を用いて、ブロー成形、射出成形またはインジェクションブロー成形によって形成される。
【００２４】
　そして、胴部７は、大径部分７ａと、この大径部分７ａの下側に連設される小径部分７ｂとを有する。大径部分７ａと小径部分７ｂと境界部分に前記リング部材９が取り付けられ、また、小径部分７ｂの外周面には、開口５の切り欠き部分５ａに対応するほぼＬ字形状の係止部分１１と、第１および第２の嵌合溝部分５ｂ，５ｃに対応する突条部分１２とが側方に突出する状態で設けられている。
【００２５】
　蓋部８、リング部材９およびラベル保持部材１０は、例えば、ポリカーボネート等の耐熱、耐候性を有する不透明な白色の合成樹脂材料を用いて、射出成形によって成形されている。
【００２６】
　リング部材９は、架台部３ａに設けられた開口５と、この開口５に取り付けられたダミー体Ｄとの隙間から、照明光源４からの光が漏れることを防止するように構成されている。
【００２７】
　商品表示ラベルＬは、例えば、ポリプロピレン（ＰＰ）、ポリカーボネート（ＰＣ）、ポリエチレンテレフタレート（ＰＥＴ）などの透明または半透明の合成樹脂、あるいはそれらの再生品など、耐熱性、耐候性に優れた素材を用いて、ほぼ矩形状または正方形状をした厚さ０．１〜０．４ｍｍ程度の平板のシート体として形成される。そして、商品表示ラベルＬの表面および／または裏面には、缶飲料の商品表示用あるいは商品広告用の図柄、文字などが印刷されている。
【００２８】
　そして、図３（Ａ）および（Ｂ）に示すように、商品表示ラベルＬには切り込み部分１３が設けられている。この実施例では、商品表示ラベルＬの所定部分Ｓの周縁に沿って切り込み部分１３を設け、かつこの切り込み部分１３を前記周縁の上下におけるそれぞれ一部分のみで途切れるように形成している。すなわち、切り込み部分１３は、１対設けられている。
【００２９】
　所定部分Ｓは、例えば、商品表示ラベルＬにおいて特にアピール（強調）したい図柄や文字などを含んでいる。
【００３０】
　商品表示ラベルＬをダミー体本体６に取り付けるには、ダミー体本体６の胴部７の大径部分７ａの外面とラベル保持部材１０との間に形成される隙間に、商品表示ラベルＬの左右両端部を差し込むだけでよい。これにより、商品表示ラベルＬは、胴部７の外周面に巻かれて湾曲した状態でダミー体本体６に保持されることとなる。
【００３１】
　ここで、胴体７の大径部分７ａの外径よりも、前記蓋部８の外径およびリング部材９の外径が大きくなるように形成しておくことにより、胴部７の大径部分７ａの外周面に商品表示ラベルＬを取り付ける際に、蓋部８とリング部材９とを位置決め用のガイドとして用いることができるので、商品表示ラベルＬをより容易にかつ正確な位置に取り付けることが可能となる。
【００３２】
　そして、ダミー体本体６に取り付けられた状態の商品表示ラベルＬは湾曲し、切り込み部分１３により囲まれた部分が、商品表示ラベルＬの他の部分よりも外側に位置することとなり、同時に、前記所定部分Ｓはほぼ平面状に保たれ、その他の部分は曲面状に保たれることとなる。
【００３３】
　上記構成からなるダミー体Ｄは、例えば、胴部７の小径部分７ｂを開口５内に上方から挿入した後、ダミー体Ｄをその軸まわりに所定角度だけ回動させることにより、架台部３ａに取り付けることができる。
【００３４】
　なお、ダミー体Ｄは、缶タイプの飲料容器に対応する形状をするものに限られず、例えば、壜タイプの飲料容器に対応する形状をしていてもよいし、その他、乾電池、インスタントカメラに対応する形状をしていてもよい。
【００３５】
　また、ダミー体Ｄとしてこの実施例では、商品表示ラベルＬをダミー体本体６の胴部７とラベル保持部材１０とで挟持するタイプのものを示しているが、ラベル保持部材１０を設けずに、ダミー体本体６の胴部７の表面に商品表示ラベルＬを貼着するもの等も本考案には適用することができる。また、ダミー体Ｄは、その高さの調整ができるものでもよいし、できないものでもよい。
【図面の簡単な説明】
【００３６】
【図１】本考案の一実施例に係る自動販売機用のダミー体を備えた自動販売機の構成を概略的に示す説明図である。
【図２】前記自動販売機用のダミー体およびこれが取り付けられる架台部の構成を概略的に示す斜視図である。
【図３】（Ａ）および（Ｂ）は、湾曲させる前および湾曲させた後の商品表示ラベルの構成を概略的に示す斜視図である。
【符号の説明】
【００３７】
　　６　ダミー体本体
　１３　切り込み部分
　　Ｄ　自動販売機用のダミー体
　　Ｌ　商品表示ラベル
【図１】
0003099774.tif 000003
【図２】
0003099774.tif 000004
【図３】
0003099774.tif 000005